(57)【特許請求の範囲】
【請求項１】
密閉された収納ケース内に、太陽電池、その太陽電池の起電力を充電する蓄電装置、蓄電装置の電力により点灯する発光体、発光体を点灯させる制御基板等の部品が収納され、発光体の光が外部に放出されるようになされた自発光式道路標示装置であって、収納ケース内の空間部に、水分を捕捉する捕捉剤が収納されていることを特徴とする自発光式道路標示装置。
【請求項２】
捕捉剤は、シリカゲルやゼオライト等の物理的に水分を吸着して捕捉する多孔質吸着剤、結晶内に結晶水として水分を捕捉する無水硫酸銅等の結晶類、水分と反応して化合物化する金属ナトリウムや金属リチウム等のアルカリ金属類、及び水分を捕捉する高分子吸収体からなる群より選ばれた１種又は２種以上からなることを特徴とする請求項１記載の自発光式道路標示装置。
【請求項３】
捕捉剤は、通気性を有する袋体内に収納されていることを特徴とする請求項１又は２記載の自発光式道路標示装置。
【発明の詳細な説明】
【０００１】
【発明の属する技術分野】
本発明は、主として路面に設置される道路鋲や交差点鋲、縁石鋲等として好適に用いられる自発光式道路標示装置に関するものである。
【０００２】
【従来の技術】
従来、道路鋲や交差点鋲、縁石鋲等の自発光式道路標示装置は、一般には太陽電池、その太陽電池の起電力を充電する蓄電装置、蓄電装置の電力により点灯する発光体、発光体を点灯させる制御基板等の電気部品や光学部品等が、密閉された収納ケース内に収納され、雨水や粉塵の侵入から保護されている。
【０００３】
【発明が解決しようとする課題】
ところが、従来の自発光式道路標示装置においては、収納ケースの内部空間部に封じ込められた空気に含んでいる水蒸気等の水分が、設置後外気温の変化に晒されることにより結露し、電気部品の短絡や光路上に生じた結露による曇りにより発光輝度が低下するといった問題がある。この結露は、前記の如く、収納ケースの内部空間部に封じ込められた空気に含んでいる水蒸気等の水分に起因するために、収納ケースの内部空間部に封じ込められた空気が十分に乾燥しておれば問題が発生するような結露は生じないし、又内部空間部が狭く、封じ込められる空気が少ない場合においても同様に問題が発生するような結露は生じない。
【０００４】
そこで、電気部品や光学部品等に影響を及ぼさないシリコーン樹脂等の合成樹脂を収納ケース内に充填して内部空間部を狭くし、封じ込められる空気を少なくすることによりかかる結露を防止するようにした自発光式道路標示装置も提案されている。
【０００５】
しかしながら、収納ケース内に充填することのできる合成樹脂は、電気の不伝導性や防水防湿性が要求されることや、温度変化による膨張収縮よって電気部品や光学部品等に悪影響を及ぼさないことが求められることから、一般には前記シリコーン樹脂の他、エポキシ樹脂、ウレタン樹脂等が用いられるが、このような合成樹脂は一般には高価であり、製品コスト増加の一因となる。又合成樹脂を充填する作業とこの充填した合成樹脂が硬化するまでに１〜２４時間程度の養生時間を要することから、施工効率が悪く、施工に時間を要すると共に施工コストのアップにもなる。
【０００６】
そこで本発明は、上記の如き問題点を解消し、収納ケース内の結露を効果的に防止することのできる自発光式道路標示装置を提供せんとするものである。
【０００７】
【課題を解決するための手段】
上記目的を達成するために、本発明は次のような構成としている。
すなわちこの発明に係る自発光式道路標示装置は、密閉された収納ケース内に、太陽電池、その太陽電池の起電力を充電する蓄電装置、蓄電装置の電力により点灯する発光体、発光体を点灯させる制御基板等の部品が収納され、発光体の光が外部に放出されるようになされた自発光式道路標示装置であって、収納ケース内の空間部に、水分を捕捉する捕捉剤が収納されていることを特徴とするものである。
【０００８】
本発明によれば、収納ケース内の空間部に、多孔質吸着剤等の水分を捕捉する捕捉剤が収納され、この捕捉剤により収納ケースの内部空間部に封じ込められた空気に含んでいる水蒸気等の水分が捕捉されて結露の発生が防止されるので、結露による電気部品の短絡や発光輝度の低下が防止される。
【０００９】
なお捕捉剤により結露の発生が防止されることから、合成樹脂を充填する必要がなくなり、又捕捉剤は一般的には充填用合成樹脂より安価であることから、結露防止に要するコストの上昇を大幅に抑えることができる。さらに多孔質吸着剤等の捕捉剤は一般的に安定であり、収納ケース内の空間部に収納後すぐに水分捕捉効果を発揮することから、合成樹脂を充填する場合に必要であった養生時間を省くことができるので、施工効率が良く、施工に時間を要することなく、且つ施工コストの低下にもなる。
【００１０】
水分を捕捉する捕捉剤としては、特に限定されるものではなく、例えばシリカゲルやゼオライト等の物理的に水分を吸着して捕捉する多孔質吸着剤、結晶内に結晶水として水分を捕捉する無水硫酸銅等の結晶類、水分と反応して化合物化する金属ナトリウムや金属リチウム等のアルカリ金属類、水分を捕捉する高分子吸収体等が用いられ、これらが１種又は２種以上が用いられていてもよい。なお好適には安価且つ安定的であり、しかも取扱の容易なシリカゲルやゼオライト等の物理的に水分を吸着して捕捉する多孔質吸着剤が用いられる。
【００１１】
さらに捕捉剤は、そのままの状態で収納ケース内の任意の空間部に収納されていてもよいが、収納ケース内に散乱しないように、空気に含んでいる水蒸気等の水分が通過可能な通気性を有する袋体内に収納されているのが好ましい。通気性を有する袋体としては、多数の細かい開孔を有するフイルムからなるものであってもよいし、不織布等からなるものであってもよい。
【００１２】
【発明の実施の形態】
次に、本発明の実施の形態について図面を参照し、具体的に説明する。
図１は本発明における道路鋲としての実施の一形態を示す断面図、図２は本発明における道路鋲としての実施の他の形態を示す断面図である。
【００１３】
図１において、１は路面に埋設されるようになされた収納ケースであって、通常、強度、耐蝕性及び成型性に優れたアルミニウムダイカスト等の金属やポリカーボネート等の合成樹脂等で作製され、上部が開口されて、その中に太陽電池１１、その太陽電池１１の起電力を充電する蓄電装置１２、蓄電装置１２の電力により点灯する発光体１３、発光体１３を点灯させる制御基板１４等の部品が収納されている。
【００１４】
前記発光体１３としては、通常は発光ダイオードが用いられるが、特に限定されるものではなく、ハロゲンランプ、メタルハライドランプ、陰極管、エレクトロルミネッセンス、キセノンランプ等であってもよい。蓄電装置１２は、鉛蓄電池、アルカリ蓄電池等の蓄電池であってもよいし、又電気二重層コンデンサー等であってもよく、特に限定されるものではない。
【００１５】
２は前記収納ケース１の上部に冠着された透光体であり、この透光体２により収納ケース１は開口が塞がれて密閉されている。そして発光体１３の光がこの透光体２を透過して外部に放出されるようになされている。透光体２は、その上を車両等が乗り上げても破損いないように、又発光体１３の光が透過され、さらに太陽光を太陽電池１１に入射させるように、耐衝撃性、耐擦傷性、耐候性等に優れた硬質の透明ガラスやポリカーボネート、アクリル樹脂等の如き透光性を有する合成樹脂等から作製されるものである。
【００１６】
３は前記密閉された収納ケース１内の空間部１５に収納された、水分を捕捉する捕捉剤であり、捕捉剤３としては、特に限定されるものではなく、例えばシリカゲルやゼオライト等の物理的に水分を吸着して捕捉する多孔質吸着剤、結晶内に結晶水として水分を捕捉する無水硫酸銅等の結晶類、水分と反応して化合物化する金属ナトリウムや金属リチウム等のアルカリ金属類、水分を捕捉する高分子吸収体等が用いられ、これらが１種又は２種以上が用いられていてもよい。なお好適には安価且つ安定的であり、しかも取扱の容易なシリカゲルやゼオライト等の物理的に水分を吸着して捕捉する多孔質吸着剤が用いられる。
【００１７】
本形態においては、多孔質吸着剤からなる捕捉剤３が、収納ケース１内に散乱しないように、空気に含まれている水蒸気等の水分が通過可能な通気性を有する不織布等からなる袋体４内に収納されて、太陽電池１１と制御基板１４との間の空間部１５に収納されている。この捕捉剤３の収納箇所は、前記に限定されるものではなく、収納ケース１内の任意の空間部１５であればよい。
【００１８】
なお、前記捕捉剤３は収納ケース１内の結露防止を目的として収納されるが、これ以外に内部に害を及ぼす有害ガスが発生する可能性がある場合には、捕捉剤３として多孔質吸着剤等を使用しておれば、この有害ガスをも捕捉することができる。例えば、従来の如く充填用合成樹脂を充填した場合においては、この充填用合成樹脂が硬化する際に、腐食性の高い有害ガスを発生することがある。かかる場合にはこの有害ガスによって制御基板１４や配線等の電気部品が腐食される可能性があるために、充填用合成樹脂の硬化が完了するまで収納ケース１を密閉することができないが、充填用合成樹脂と共にこの捕捉剤３を収納しておくことにより、この捕捉剤３が有害ガスを捕捉することにより、充填用合成樹脂の硬化を待たずに収納ケース１を密閉することができる。従って充填用合成樹脂を用いた場合であっても、養生時間を省くことができる。
【００１９】
次に図２に示された形態は、収納ケース１は路面上に取付けられるようになされ、上部に上面が透光性合成樹脂板により保護された太陽電池１１が収納されると共に密閉され、この密閉された収納ケース１内に、図１と同様に、太陽電池１１の起電力を充電する蓄電装置１２、蓄電装置１２の電力により点灯する発光体１３、発光体１３を点灯させる制御基板１４等の部品が収納され、発光体１３の光は収納ケース１の傾斜側面に設けられた発光窓１６より外部に放出されるようになされたものであり、そして太陽電池１１と制御基板１４上に設けられた蓄電装置１２との間の空間部１５に、捕捉剤３が、収納ケース１内に散乱しないように、空気に含まれている水蒸気等の水分が通過可能な通気性を有する不織布等からなる袋体４内に収納された状態で、収納されているものである。
【００２０】
本発明は、上記形態の道路鋲に限定されるものではなく、密閉された収納ケース１内に、太陽電池１１、その太陽電池１１の起電力を充電する蓄電装置１２、蓄電装置１２の電力により点灯する発光体１３、発光体１３を点灯させる制御基板１４等の部品が収納され、発光体１３の光が外部に放出されるようになされた自発光式道路標示装置であれば、路面に設置される道路鋲や交差点鋲、縁石鋲等のもの以外の例えば路面上に立設又は取付けられたものであっても、広く適用されるものである。
【００２１】
【発明の効果】
本発明によれば、収納ケース内の空間部に、多孔質吸着剤等の水分を捕捉する捕捉剤が収納され、この捕捉剤により収納ケースの内部空間部に封じ込められた空気に含んでいる水蒸気等の水分が捕捉されて結露の発生が防止されるので、結露による電気部品の短絡や発光輝度の低下が防止される。
【００２２】
なお捕捉剤により結露の発生が防止されることから、合成樹脂を充填する必要がなくなり、又捕捉剤は一般的には充填用合成樹脂より安価であることから、結露防止に要するコストの上昇を大幅に抑えることができる。さらに多孔質吸着剤等の捕捉剤は一般的に安定であり、収納ケース内の空間部に収納後すぐに水分捕捉効果を発揮することから、合成樹脂を充填する場合に必要であった養生時間を省くことができるので、施工効率が良く、施工に時間を要することなく、且つ施工コストの低下にもなる。
【図面の簡単な説明】
【図１】本発明における道路鋲としての実施の一形態を示す断面図である。
【図２】本発明における道路鋲としての実施の他の形態を示す断面図である。
【符号の説明】
１    収納ケース
１１  太陽電池
１２  蓄電装置
１３  発光体
１４  制御基板
１５  空間部
１６  発光窓
２    透光体
３    捕捉剤
４    袋体
【図１】
0003734370.tif 000002
【図２】
0003734370.tif 000003